(57)【要約】現在のＢＤ規格は、ＡＤＩＰ内にアドレスは２１ビットで表現され、１９ビットは対応するＲＵＢ番号を指示し、２ビットは、ディスク上のデータの最も小さいアドレス可能な部分である一のＲＵＢに対応する２つの連続するＡＤＩＰ内に連続して００，０１，１０に設定されることを、規定する。これから、記憶空間のせいぜい３２．２ＧＢがアドレス指定できることが導かれる。しかし、近年の開発に起因して、レイヤー当たり３５ＧＢの記憶容量が達成しうる。本発明によれば、一以上のビットが、アドレスを表すために現に割り当てられる２１ニットに付加される。しかし、この追加のビットは、ＡＤＩＰ内に記憶されずに暗黙のまま残され、現在のＢＤ符号化規則からの大きな逸脱が免れる。追加のビットは、対応するＲＵＢが存在する場所の情報媒体上の位置に基づいて装置により再構成される。
2008523533.tif 000002
【特許請求の範囲】
【請求項１】
情報媒体と前記情報媒体にアクセスする装置を含むシステムにおいて、前記情報媒体は、物理空間及び前記物理空間内のそれぞれの位置に配置された情報の複数ブロックを含み、各ブロックは、それぞれに対応付けられたローカルアドレスのみを表すアドレスラベルを有し、
前記装置が、
前記アドレスラベルを取り出すヘッドと、
あるブロックに前記ヘッドを位置付けて、該あるブロックの前記アドレスラベルを取り出せるようにする位置決めアクチュエータと、
前記位置決めアクチュエータを制御し、前記ヘッドの推定位置を提供することができる位置決め制御ユニットと、
前記ヘッド及び位置決め制御ユニットに接続され、前記推定位置に前記ローカルアドレスを組み合わせることにより前記あるブロックの位置を決定するブロック特定ユニットとを有する、システム。
【請求項２】
前記ローカルアドレスが、アドレスのサイクルを形成するようにモジュール的に増加する、請求項１に記載のシステム。
【請求項３】
前記各ブロックが、前記物理空間内のそれぞれの位置を表すグローバルアドレスに対応付けられる、請求項１に記載のシステム。
【請求項４】
前記グローバルアドレスが、前記ローカルアドレスである最下位部（ＬＳＰ：Least  Significant  Portion）、及び、各ブロックが存在するアドレスのサイクルを特定するサイクル指標である最上位部（ＭＳＰ：Most  Significant  Portion）により形成される、請求項３に記載のシステム。
【請求項５】
物理空間及び前記物理空間内のそれぞれの位置に配置された情報の複数ブロックを含む情報媒体であって、各ブロックが、それぞれに対応付けられたローカルアドレスのみを表すアドレスラベルを有する、情報媒体。
【請求項６】
前記ローカルアドレスが、アドレスのサイクルを形成するようにモジュール的に増加する、請求項５に記載の情報媒体。
【請求項７】
情報媒体にアクセスする装置であって、前記情報媒体が、物理空間及び前記物理空間内のそれぞれの位置に配置された情報の複数ブロックを含み、各ブロックが、それぞれに対応付けられたローカルアドレスのみを表すアドレスラベルを有する、装置において、
前記アドレスラベルを取り出すヘッドと、
あるブロックに前記ヘッドを位置付けて、該あるブロックの前記アドレスラベルを取り出せるようにする位置決めアクチュエータと、
前記位置決めアクチュエータを制御し、前記ヘッドの推定位置を提供することができる位置決め制御ユニットと、
前記ヘッド及び位置決め制御ユニットに接続され、前記推定位置に前記ローカルアドレスを組み合わせることにより前記あるブロックの位置を決定するブロック特定ユニットとを有する、装置。
【請求項８】
前記各ブロックにグローバルアドレスを対応付けることができ、該グローバルアドレスは、前記物理空間内の前記各ブロックのそれぞれの位置を表し、前記あるブロックの位置は、そのグローバルアドレスを判断することにより決定される、請求項７に記載の装置。
【請求項９】
前記あるブロックのグローバルアドレスは、どのブロックが、取り出された前記ローカルアドレスに類するローカルアドレスを有し前記推定位置に最も近い位置にあるかを判断することにより決定される、請求項８に記載の装置。
【請求項１０】
前記推定位置は、前記位置決めアクチュエータに前記位置決め制御ユニットにより付与されるコマンドに基づいて決定される、請求項７に記載の装置。
【発明の詳細な説明】
【技術分野】
【０００１】
本発明は、情報媒体と前記情報媒体にアクセスする装置を含むシステム、情報媒体及び装置に関する。
【背景技術】
【０００２】
ブルーレイディスク再書き込み可能用（BD-RE）及び一回書き込み用（BD-R）に対する現在の規格は、いわゆるAddress  In  Pre-groove(ADIP)である、アドレスを表すビットシーケンスの形態で位置情報を含むプリグルーブ内のウォブルを記述する。これは、いわゆるAbsolute  Time  in  Pre-groove（ATIP）があるCD規格と同等である。これらのアドレスは、空若しくは半空のディスク上の割当目的のために必要とされる。
【０００３】
BD-RのみならずBD-REにおける１つのADIPアドレスは、AA23からAA0まで降順に番号付けられた２４ビットからなる。文字AAは、物理ADIPアドレスを表す。これらのビットは、補助データの１２ビットと共に、プリグルーブのウォブル内に記憶され、ADIPワードを形成する。プリグルーブ内の３つの連続したADIPワードは、情報のブロックである、メインデータチャンネル内の一の記憶単位ブロック（RUB：  Recording  Unit  Block）と同一の物理長さを有する。
【０００４】
現在、次のビット割当がADIPワードに対してなされている。
AA23..AA23:レイヤー番号を指示するための３ビット
AA22..AA2:連続した番号を含む１９ビットであり、リアルRUBビットとも称され、当該番号は、各３つの連続したADIPワード毎に増加することになる（RUBsに同期される）
AA1,AA0：一のRUBに対応する３つの連続ADIPワード内に連続して００，０１，１０にセットされる２ビットであり、リアルADIPビットとも称される。設定１１は、確保され、使用されない。
AX11..AX0:ディスクに関する補助情報を含む１２ビット。ディスクのインナゾーンにおいて補助ビットは、ディスク情報のコピーを記憶するために用いられ、ディスク上の他の場所では、これらの１２ビットはゼロにセットされることになる。
【発明の開示】
【発明が解決しようとする課題】
【０００５】
現在のBD-RE及び  BD-Rに対する規格は、２７GBまでの容量を規定する。将来、より高い容量が発生することでき、例えばBD-REディスクに関して３８GBは可能である。かかるより高い容量に対しては、より多くの記録アドレスがディスク上に必要とされる。上述の如く、１９ビットは、異なる記録アドレスを指示するために規格に従って利用可能であり、これらの１９ビットにみを用いた場合、３２．２GBまでのデータがアドレス指定されることができる。これよりも高い容量に対しては、ディスク上で十分な位置をアドレス指定することができない。これは、将来のBDのマルチレイヤ拡張に対して、３５GBがレイヤー当たりの目標容量と考えられるので、重要な問題である。
【０００６】
本発明の目的は、現在の符号化規則に対して最小限の変更で、より大量のデータを記録媒体上でアドレス指定することができるようにする情報媒体及びこれへのアクセス用装置を含むシステム、情報媒体及び装置を提供することである。
【課題を解決するための手段】
【０００７】
本発明によれば、上記の目的は、請求項１に記載のシステム、請求項５に記載の情報媒体及び請求項７に記載の装置により達成される。
【０００８】
本発明によれば、ブロック内に存在するアドレスラベルは、ローカルアドレスのみを表し、同一のローカルアドレスを有するブロック間の判別は、情報媒体内のそれらの位置に基づいてなすことができ、当該位置は、位置決め制御ユニットにより提供されるヘッドの推定位置に反映される。これは、拡張されたデータ量のアドレス指定を適切に可能とする。というのは、アドレス、即ち物理空間内の位置を完全に表す完全なアドレスを表すように割り当てられるはずの多数のビットを、ローカルアドレス、即ち物理空間のローカル領域内の位置を表すアドレスのみを表すために割り当てることができる一方、物理空間全体内の位置の決定が、装置に残されるからである。
【０００９】
換言すると、既存のフォーマットによればｎビットはアドレスを完全に表すために用いられるが、本発明によれば、同一の数のビットは、ローカルアドレスのみを表すために用いられ、これにより、同一のローカルアドレスを備えるが装置により識別可能なブロックは、同一の物理空間内に共存することができ、従って、アドレス指定可能なブロックの数を拡張する効果が、アドレスラベルのフォーマットや符号化規則を変更することなく、達成される。
【００１０】
好ましい実施例では、ローカルアドレスは、請求項２及び６に記載する如く、アドレスのサイクルを形成するようにモジュール的に増加する。例えば、アドレスは、ゼロから最大の可能な値まで、各連続するブロックで一単位毎にインクリメントされてよく、その後、値ゼロが再び用いられ、以下同様である。このようにして、同一のローカルアドレスを備えるブロックが互いに対して最大の距離で物理空間内に配置されることが達成される。
【００１１】
本分野で知られているような、物理空間全体内のブロックのそれぞれの位置を表すブロックのアドレスの概念は、請求項３及び８に記載する如く、グローバルアドレスとして導入されることができる。
【００１２】
特に、ローカルアドレスは、請求項４に記載する如く、グローバルアドレスの最下位部（ＬＳＰ：Least  Significant  Portion）を表してよく、サイクルを特定する指標は、その最上位部（ＭＳＰ：Most  Significant  Portion）を表す。MSPは、単一のビットしか含まなくてもよく、アドレス指定可能な空間を２倍にする作用をもたらす。
【００１３】
更なる効果的な実施例は、他の従属項にクレームされる。
【００１４】
本発明によるシステム、情報媒体及び装置のこれらの局面及び他の局面は、添付図面を参照して更に教示及び説明されることになる。
【発明を実施するための最良の形態】
【００１５】
図１ａは、情報媒体１０及びそれへのアクセス用の装置１１を含む本発明によるシステムの一実施例を示す。
【００１６】
情報媒体１０は、物理空間１２、及び、単に“ブロック”とも称される、物理空間１２内の多様な位置に配置された情報のブロック１３を有する。本例では、情報媒体１０は、光ディスクであり、物理空間１２は、螺旋トラックであるが、他の実施例は可能である。例えば、物理空間は、他の形態を有してよく、情報媒体は、例えば磁気ディスクや、光データを備えるカードであってもよい。各ブロック１３は、図１ｂの拡大視に示すように、各ブロック１３の特定を可能とするアドレスラベル１４を含む。
【００１７】
装置１１は、ヘッド１５を含み、ヘッド１５により、ブロック１３はアドレス指定されることができる。本例では、ヘッド１５は、螺旋トラックに沿って情報媒体の光学特性に基づいて読取信号を生成することができ、及び／又は、受信した書込信号に基づいて同光学特性を変化させることができる。図では、ヘッド１５は、情報媒体１０から距離が離れて示されているが、他の実施例では、ヘッド１５は、情報媒体１０に接触してもよい。
【００１８】
位置決めアクチュエータ１６は、種々の位置に配置されるブロック１３にアクセスできるようにヘッド１５を位置づけることができ、特にアドレスラベル１４を取り出すことができる。通常的な実現例によれば、位置決めアクチュエータ１６は、２つの別にユニットを含み、第１のユニットは、粗い位置決め用であり、第２のユニットは、精密な位置決め用である。位置決めアクチュエータ１６は、位置決め制御ユニット１７により制御される。位置決めアクチュエータ１６が動作できる精度及び分解能は、どのブロック１３がアクセスされているかのアプリオリを装置１１が特定するのを不能にする。というのは、２つの隣接するブロック１３は、互いに比較的短い距離離れて配置されているからである。これは、ブロック１３を特定するのを可能とするアドレスラベル１４が存在する必要がある基本的な理由である。これは、装置１１内に存在するブロック特定ユニット１９によりなされ、ブロック特定ユニット１９は、ヘッド１５に接続され、ブロック１３を特定するために、ブロック１３からそのアドレスラベル１４を取得することができる。
【００１９】
先行技術による情報媒体では、アドレスラベルは、物理空間における固有の位置に対応付けられることができるアドレスを表す。アドレスラベルは、正確にアドレスからなることができるが、より一般的には、アドレスラベルは、誤り符号訂正をも含むアドレスの符号化されたものからなる。
【００２０】
対照的に、本発明による情報媒体１０では、アドレスラベル１４は、ローカルアドレスのみを表す。ブロック１３のローカルアドレス自体は、一般的に、ブロック１３の特定を可能としない。というのは、同一のローカルアドレスが存在しうり、それ故に、先行技術から知られるアドレスの概念から異なるからである。しかし、ローカルアドレスを知ることは、物理空間内のブロックの位置に関するある適切な知見（情報）と結合された場合にブロック１３の特定を可能とすることができる。本発明によれば、この適切な知見は、ブロック特定ユニット１９に、位置決め制御ユニット１７により推定位置１８の形態で供給され、ブロック特定ユニット１９は、当該推定位置１８を、取り出されたアドレスラベル１４内に存在するローカルアドレスと結合させる。特に、ブロック特定ユニット１９は、取り出されたアドレスラベル１４内に存在するローカルアドレスに類するローカルアドレスを有するブロックのうちから、推定位置に最も近いブロックとして、アクセスされているブロックを特定することができる。
【００２１】
位置決め制御ユニット１７が推定位置１８を提供できる種々の方法は容易に考え付く。
【００２２】
ブロックへのアクセスは、順次若しくは直接発生することが知られている。“トラッキング”とも称される順次アクセス中、連続的に配置された複数のブロックは、ヘッド１５が前進する間に走査される。アドレスは、一般的に、ブロック間でインクリメントされるので、ブロックのアドレスは、そのアドレスラベルが取り出される前にも原理上知られる。というのは、ブロックのアドレスは、インクリメントされた前のブロックのアドレスに等しくなければならないからである。直接アクセス中、即ち特定のブロックのアクセス中、目標アドレスを有する目標ブロックが、ヘッドの現在の位置に関係なく、探索される。位置決め制御ユニット１７は、たいていの状況では最後に取り出されたアドレスに等しいと想定できる現在の位置、目標アドレス及び、データの密度を反映するパラメータである情報媒体特有の幾つかのパラメータに基づいて移動量を算出する。次いで、位置決め制御ユニット１７は、算出結果に従って移動若しくは“ジャンプ”を実行するように位置決めアクチュエータ１６を制御して、目標ブロックへのアクセスを試みる。しかし、位置決めアクチュエータ１６の比較的低い精度及び分解能、算出結果に導入される避けられない近似に起因して、ヘッド１５が、目標ブロックがアクセスされることができる正確な位置まで移動されることは、補償することができない。目標ブロックにアクセスが到達されたかをチェックすることが実行され、アクセスされているブロックのアドレスが判断され、目標アドレスと比較される。２つが一致しない場合には、連続的な隣接で目標ブロックに到達するように追加のジャンプが実行される。典型的には、２つの反復が必要とされる。実際には、アクセスされているブロックは、最初のジャンプ後でも、必然的に目標ブロックの近傍にある。
【００２３】
この知見は、ヘッド１５の推定位置１８を提供するために利用でき、次のように算出できる。
―位置、順次アクセス中、アクセスされる最後のブロック
―位置、直接アクセス中、目標ブロック
一般的な観点では、推定位置と位置決め制御ユニットにより位置決めアクチュエータに付与されるコマンドの間に直接的な関連があるといえる。
【００２４】
好ましい実施例によれば、ローカルアドレスは、サイクルを形成するようにモジュール的に増加する数である。ブロック１３が位置する情報媒体の物理空間内の位置と、そのアドレスとの間の結果としての関係は、図１ｂのグラフに示される。サイクル２０のそれぞれは、漸進的なサイクル指標２１に関連付けられることができる。分かるように、同一のローカルアドレスを有する２つのブロックは、物理空間１２内で良好に離れて位置し、一般的に容易に識別することができる。
【００２５】
サイクル指標２１及びローカルアドレスに基づいて、各個々のブロック１３に、サイクル指標２１及びローカルアドレスからなるグローバルアドレスを対応付けることは率直である。特に、図２ａに示すように、ローカルアドレス２３及びサイクル指標２１は、グローバルアドレス２２のＬＳＰ及びＭＳＰとそれぞれ一致してよい。ローカルアドレス２３、サイクル指標２１及びグローバルアドレス２２間の結果としての関係は、図２ｂに示される。
【００２６】
効果は、ＭＳＰの各値毎に１ページで、記憶空間を仮想的にページで仕切ることである。
【００２７】
この環境では、ブロック１３が依然としてそのローカルアドレス２３に基づいて特定できるように、ローカルアドレス２３を表すために割り当てられるビット数に対する制約を導出すると共に、情報媒体１０内に存在で切るサイクル２０の最大数に対する制約を暗黙的に導出することが率直である。最もクリティカルな状況である特に直接アクセスを参照するに、目標ブロックのグローバルアドレスとアクセスされているブロックのグローバルアドレス間の最大距離は、グローバルアドレス２２のＬＳＰの最大値の半分より小さくなければならないといえる。
【００２８】
本発明による情報媒体１０内のグローバルアドレス２２は、ブロック１３を固有に特定する指標として、知られている情報媒体内のアドレスに取って代わる。
【００２９】
グローバルアドレス２２は、異なるブロック１３を識別するために装置１１によりなされる再構成として単に存在することができるが、情報媒体１０内に現れない。しかし、グローバルアドレス２２は、情報媒体１０内に存在してもよい。例えば、ブロックへの参照若しくはポインタが記録されるとき、これは、絶対グローバルアドレス２２の形態を有してもよい。
【００３０】
光ディスク、特にＣＤ−Ｒ（Ｗ），ＤＶＤ−Ｒ（Ｗ），ＤＶＤ＋Ｒ（Ｗ），ＢＤ等のような、記録可能な光ディスクでは、ある記録位置のアドレス、即ちユーザ情報のブロックが記録されることができる位置は、如何なるユーザ情報がそこに記録される前でも利用可能となるように記録位置内に事前に記録される必要がある。知られているように、これは、ウォブル、即ちトラックの横方向の変調内に、可能な場合には他の制御情報と共に、アドレスを符号化することにより達成される。それゆえに、情報媒体は、２つのチャンネル、即ち、メインチャンネル、若しくは、トランクに沿った反射率に関連するＨＦチャンネル、及び、セカンダリチャンネル若しくは、トラックの横方向の変調に関連するウォブルチェンネルを有する。ウォブルチャンネル内に存在するアドレスは、ＨＦチャンネル内にも複写される。
【００３１】
ウォブル変調の物理特徴は、トラックの同一部分内のＨＦチャンネルに記憶される情報と比べた場合、多様に拘束され、少量の情報の記憶のみを可能とすることであり、従って、ウォブルチャンネルでは、アドレスラベルは、記憶される情報の全て若しくは大部分を表すのに対して、ＨＦチャンネルでは、アドレスラベルは、記憶される情報の小部分を表し、最大の部分は、ユーザ情報、厳密に言うと例えば音楽、映像、ソフトウェア等である。
【００３２】
それ故に、全体のシステムに大きな変更を伴わずに、アドレスを表すために割り当てられる既存の多数のビットに単一のビットの情報さえ付加することは困難である。本発明によれば、アドレス指定空間は、拡大された若しくはグローバルなアドレスのＬＳＰに対するアドレスを表すために割り当てられる既存の多数のビットを実際に用いることにより拡大され、ＭＳＰは暗黙のまま残される。しかし、ＨＦチャンネルでは、全体のグローバルアドレスは存在してもよい。
【００３３】
本発明の内容において、用語“情報のブロック”は、ＨＦチャンネルに存在するＥＣＣブロックと同様、ウォブルチャンネルに存在するＡＤＩＰチャンネルを指してもよい。しかし、それは、また、トラックの同一のセグメントを占める３つのＡＤＩＰフレーム及びＥＣＣブロックの２つの組み合わせを指すことができる。効果的には、グローバルアドレスは、ＥＣＣブロック内に記憶されてよく、ローカルアドレスだけがＡＤＩＰフレーム内に記憶される。
【００３４】
本発明は、次のように要約できる。現在のＢＤ規格は、ＡＤＩＰ内にアドレスは２１ビットで表現され、１９ビットは対応するＲＵＢ番号を指示し、２ビットは、ディスク上のデータの最も小さいアドレス可能な部分である一のＲＵＢに対応する２つの連続するＡＤＩＰ内に連続して００，０１，１０に設定されることを、規定する。これから、記憶空間のせいぜい３２．２ＧＢがアドレス指定できることが導かれる。しかし、近年の開発に起因して、レイヤー当たり３５ＧＢの記憶容量が達成しうる。
【００３５】
本発明によれば、一以上のビットが、アドレスを表すために現に割り当てられる２１ニットに付加される。しかし、この追加のビットは、ＡＤＩＰ内に記憶されずに暗黙のまま残され、現在のＢＤ符号化規則からの大きな逸脱が免れる。追加のビットは、対応するＲＵＢが存在する場所の情報媒体上の位置に基づいて装置により再構成される。
【図面の簡単な説明】
【００３６】
【図１】ａは本発明によるシステムの一実施例を示す図、ｂは図１ａでも示す情報のブロックの拡大図、ｃは図１ａに示す情報媒体を参照して位置及びローカルアドレス間の関係を示す図である。
【図２】ａはローカルアドレスとグローバルアドレスの間の関係を示す図、ｂはグローバルアドレスの概略図である。
【図１】
2008523533.tif 000003
【図２】
2008523533.tif 000004
【国際調査報告】
2008523533.tif 000005
2008523533.tif 000006